(57)【特許請求の範囲】
【請求項１】
気密室の間を継ぐパスボックスの開閉装置において、パスボックスの開閉プレートと、開閉プレートの後方に位置するベースから開閉プレートの前方へパスボックスの上下面に添うように延びる爪を持つクランプと、そのベースの中央部に軸受を介して回転自在に支持される円筒軸と、円筒軸の一端に連結されるハンドルと、円筒軸の他端に開口する筒穴の内周に形成される雌ネジ部と、雌ネジ部と進退可能な螺合手段として開閉プレートの後面に突設される雄ネジ部と、パスボックスの開口端に装着されるシールと、雌ネジ部に対する雄ネジ部の進入方向へクランプの爪を係止する手段としてパスボックスの開口辺に形成されるストッパと、クランプの爪とストッパとの係止方向に対する直交方向へ開閉プレートを移動可能に支持するスライダ機構と、を備えたことを特徴とするパスボックスの開閉装置。
【請求項２】
気密室は、外部から手を入れてハンドルなどを操作するための手袋を備えたことを特徴とする請求項１の記載に係るパスボックスの開閉装置。
【発明の詳細な説明】
【０００１】
【発明の属する技術分野】
この発明は、気密室を継ぐパスボックスの開閉装置に関する。
【０００２】
【従来の技術】
たとえば、電気二重層キャパシタの製造設備として所定の環境を維持するため、グローブボックス（外部から作業するための手袋を備える気密室）が用いられる。クローブボックスは、所定の環境を管理しやすくするため、複数の気密室に区分される。これら気密室の間を継ぐのがパスボックスであり、これを必要に応じて開閉するための装置が設けられる。
【０００３】
このような開閉装置としては、図５のようなものが考えられる。１はパスボックスであり、気密室２において、その開口部に開閉プレート３が備えられる。開閉プレート３の後面に軸受４が突設され、この軸受４にハンドル５のスクリュロッド６（回転軸）が支持される。スクリュロッド６に雌ネジ部７を介して進退可能にクランプ８が取り付けられる。クランプ８は、雌ネジ部７を中心に広がるベース８ａと、ベース８ａの上下辺から開閉プレート３の前方へ回り込み、パスボックス１の上下面に添うように延びる爪８ｂと、が備えられる。
【０００４】
パスボックス１の開口端にシール９（密閉ゴム）が装着され、同じく上下の開口辺にクランプの爪８ｂを係止するストッパ１０が配置される。１１はクランプの爪８ｂとストッパ１０との係止方向に対する直交方向（パスボックス１の左右方向）へ開閉プレート３を移動可能に案内するスライダ機構であり、所定方向へ延びるレール１１ａと、これに滑車１１ｂを介して吊持されるハンガ１１ｃと、から構成される。開閉プレート３は、ハンガ１１ｃに支持軸１１ｄを介してスクリュロッド６の軸方向へ変位可能に取り付けられるのである。
【０００５】
図示の閉鎖状態から、開閉プレート３の締め付けを解除する方向へハンドル５を回すと、クランプ８がスクリュロッド６を前進する。クランプの爪８ｂがストッパ１０から離れ、開閉プレート３がシール９から離れる。これにより、開閉プレート３は、スライダ機構１１の案内方向へ移動可能となり、これを開き方向へスライド操作すると、クランプ８およびハンドル５と共にパスボックス１の脇へ退いてパスボックス１を開通させる。これにより、気密室２の間をキャパシタ材料がパスボックス１を通して移送可能となる。
【０００６】
パスボックス１を閉鎖する場合においては、開閉プレート３をパスボックス１の開口部に被さる位置へスライド操作する。クランプの爪８ｂがストッパ１０に対向する締付可能な所定位置において、ハンドル５を締付方向へ回すと、スクリュロッド６をクランプ８が後退する。クランプの爪８ｂがストッパ１０に係止すると、開閉プレート３がクランプ８に締め付けられ、パスボックス１の密閉状態にシール９を圧縮するのである。
【０００７】
【発明が解決しようとする課題】
このような開閉装置においては、開閉プレート３からハンドル５までの距離が大きい。つまり、スクリュロッド６の軸受４およびクランプ８の雌ネジ部７に加えて、クランプ８の有効ストロークＳ1およびクランプの予備ストロークＳ2が設定され、気密室２にハンドル５が大きく突き出るようになり、気密室２（空間）の有効利用を妨げる要因となる。気密室２は、所定の環境に維持する管理コストが嵩むので、気密室２（空間）の利用率を最大限に高めることが要求されるのである。
【０００８】
この発明は、このような課題に着目してなされたものであり、ハンドルの突出量（開閉プレートとの距離）が小さいコンパクトな開閉装置の提供を目的とする。
【０００９】
【課題を解決するための手段】
第１の発明は、気密室の間を継ぐパスボックスの開閉装置において、パスボックスの開閉プレートと、開閉プレートの後方に位置するベースから開閉プレートの前方へパスボックスの上下面に添うように延びる爪を持つクランプと、そのベースの中央部に軸受を介して回転自在に支持される円筒軸と、円筒軸の一端に連結されるハンドルと、円筒軸の他端に開口する筒穴の内周に形成される雌ネジ部と、雌ネジ部と進退可能な螺合手段として開閉プレートの後面に突設される雄ネジ部と、パスボックスの開口端に装着されるシールと、雌ネジ部に対する雄ネジ部の進入方向へクランプの爪を係止する手段としてパスボックスの開口辺に形成されるストッパと、クランプの爪とストッパとの係止方向に対する直交方向へ開閉プレートを移動可能に支持するスライダ機構と、を備えたことを特徴とする。
【００１０】
第２の発明は、第１の発明に係るパスボックスの開閉装置において、気密室は外部から手を入れてハンドルなどを操作するための手袋を備えたことを特徴とする。
【００１１】
【発明の効果】
第１の発明においては、クランプの爪がストッパに対向する締付可能な所定位置において、ハンドルを締付方向へ回すと、雄ネジ部が雌ネジ部の奥方からパスボックス側へ前進する。これにより、クランクの爪と開閉プレートとの距離が縮められ、クランプの爪がストッパに係止すると、開閉プレートがパスボックスの開口端に締め付けられ、パスボックスの密閉状態にシールを圧縮するのである。
【００１２】
パスボックスの密閉（閉鎖）状態を解除する場合においては、ハンドルを締め付けと逆方向へ回すと、雄ネジ部が雌ネジ部の奥方へパスボックス側から後退する。これにより、クランクの爪と開閉プレートとの距離が広げられ、クランクの爪がストッパから離れると、開閉プレートがクランプの締め付けから解放され、シールも初期状態に復元する。つまり、開閉プレートは、スライダ機構の案内方向へ移動可能となり、これを開き方向へスライド操作すると、クランプおよびハンドルと共にパスボックスの脇へ退いてパスボックスを開通させる。
【００１３】
ハンドルと開閉プレートとの間において、円筒軸の雌ネジ部を進退可能な雄ネジ部を開閉プレートに突設する一方、クランクのベースに軸受を介して回転自在に支持される円筒軸をハンドルに連結するので、ハンドルの突出量（開閉プレートとの距離）を小さく設定可能となる。つまり、円筒軸の内部にクランプの有効ストロークおよび予備ストロークを設定することにより、ハンドルと開閉プレートとの距離は円筒軸の長さに抑えられるようになる。
【００１４】
第２の発明においては、気密室の外部から手袋を使ってハンドルなどを操作することにより、気密室の環境を損なわずにパスボックスが容易に開閉できるようになる。
【００１５】
【発明の実施の形態】
図１，図２は、電気二重層キャパシタの製造設備としてのグローブボックスであり、その内部環境を維持する管理コストの合理化を図るため、複数の気密室２０ａ，２０ｂに区分される。これら気密室２０ａ，２０ｂの間にキャパシタ材料などの移送経路を形成するのがパスボックス２１であり、これを必要に応じて開閉するための装置２２が設けられる。
【００１６】
開閉装置２２は、図３，図４のようにパスボックス２１の開閉プレート２３と、これをパスボックス２１の開口端に締め付けるためのクランプ２４と、が備えられる。開閉プレート２３の後面中央に台座２５が突設され、後述の雌ネジ部２８に螺合する雄ネジ部２６が台座２５に取り付けられる。
【００１７】
クランプ２４は、開閉プレート２３の後方に位置するベース２４ａと、ベース２４ａの上下辺から開閉プレート２３の前方へ回り込み、パスボックス２１の上下面に添うように延びる爪２４ｂと、が備えられる。クランプ２４において、ベース２４ａの中央部に軸受２９を介して円筒軸２７が回転自在に支持される。
【００１８】
円筒軸２７は底付きに形成され、その一端（底部）にハンドル３０が連結される。円筒軸２７の他端に開口する筒穴の内周に雌ネジ部２８が形成され、この雌ネジ部２８に開閉プレート２３側の雄ネジ部２６が進退可能に螺合するのである。
【００１９】
パスボックス２１の開口端にシール３１（密閉ゴム）が装着され、雌ネジ部２８に対する雄ネジ部２６の進入方向へクランプの爪２４ｂを係止するストッパ３２がパスボックス２１の開口辺に形成される。クランプの爪２４ｂとストッパ３２との係止方向に対する直交方向へ開閉プレート２３を移動可能に支持するスライダ機構３３が気密室２０ａの内壁面に備えられる。
【００２０】
スライダ機能３３は、所定方向へ延びるレール３３ａと、これに滑車３３ｂを介して吊持されるハンガ３３ｃと、から構成される。開閉プレート２３は、ハンガ３３ｃに支持軸３３ｄを介して雌ネジ部２８に対する雄ネジ部２６の進退方向へ変位可能に取り付けられる。２６ａは雄ネジ部２６の直進性を確保するガイドを示す。
【００２１】
図１，図２において、気密室２０ａ，２０ｂに強化ガラスの嵌め殺し窓４０が配置され、これら窓４０の下方に気密室２０ａ，２０ｂの外部から手を入れて必要な作業を行うための手袋（図示せず）が備えられ、各手袋の内側をそれぞれ外部から密閉する開閉蓋４１が気密室２０ａ，２０ｂの外壁面に設けられる。開閉蓋４１ａで密閉の手袋が、開閉装置２２を操作するためのものである。
【００２２】
クランプの爪２４ｂがストッパ３２に対向する締付可能な所定位置において、ハンドル３０を締付方向へ回すと、雄ネジ部２６が雌ネジ部２８の奥方からパスボックス２１側へ前進する。これにより、クランクの爪２４ｂと開閉プレート２３との距離が縮められ、クランプの爪２４ｂがストッパ３２に係止すると、開閉プレート２３がパスボックス２１の開口端に締め付けられ、パスボックス２１の密閉状態にシール３１を圧縮するのである（図３の閉鎖状態）。
【００２３】
パスボックス２１の密閉（閉鎖）状態を解除する場合においては、ハンドル３０を締め付けと逆方向へ回すと、雄ネジ部２６が雌ネジ部２８の奥方へパスボックス２１側から後退する。これにより、クランクの爪２４ｂと開閉プレート２３との距離が広げられ、クランクの爪２４ｂがストッパ３２から離れると、クランプ２４の締め付けから開閉プレート２３が解放され、シール３１も初期状態に復元する。
【００２４】
開閉プレート２３は、スライダ機構３３の案内方向へ移動可能となり、これを開き方向へスライド操作すると、クランプ２４およびハンドル３０と共にパスボックス２１の脇へ退いてパスボックス２１を開通させる。これにより、気密室２０ａ，２０ｂの間をキャパシタ材料がパスボックス２１を通して移送可能となる。
【００２５】
この状態からパスボックス２１を閉鎖する場合においては、スライダ機構３３の案内により、開閉プレート２３をクランプの爪２４ｂがストッパ３２に対向する締付可能な所定位置へ移動させる。そして、ハンドル３０を締付方向へ回すことにより、既述のように開閉プレート２３がクランプ２４に締め付けられ、パスボックス２１の密閉状態にシールを圧縮するのである。雌ネジ部２８および雄ネジ部２６は、開閉プレート２３への締付力を十分に確保するため、台形ネジが採用される。
【００２６】
このような、パスボックス２１の開閉作業は、開閉蓋４１ａを開けて気密室２０ａの外部から手袋を使って行われる。したがって、他の手袋による作業と同じく、気密室２０ａ，２０ｂの環境を損なうことなく、簡単かつ容易に遂行できるようになる。
【００２７】
ハンドル３０と開閉プレート２３との間において、円筒軸２７の雌ネジ部２８を進退可能な雄ネジ部２６を開閉プレート２３に突設する一方、クランク２４のベース２４ａに軸受２９を介して回転自在に支持される円筒軸２７をハンドル３０に連結するので、ハンドル３０の突出量（開閉プレート２３との距離）を小さく設定可能となる。
【００２８】
図５の場合、ハンドル５と開閉プレート３との間において、スクリュロッド６の軸受４およびクランプ８の雌ネジ部７に加えて、クランプ８の有効ストロークＳ1および予備ストロークＳ2が設定され、気密室にハンドル５が大きく突き出るようになる。この発明に係る実施形態においては、図５の軸受４が雄ネジ部２６、図５の雌ネジ部７が円筒軸２７、に置き換わる具合になり、円筒軸２７の内部にクランプ２４の有効ストロークおよび予備ストロークが設定されるので、図５の場合に較べると、同一の有効ストロークおよび予備ストロークを確保しつつ、ハンドル３０と開閉プレート２３との距離を大幅に縮められるようになる。
【００２９】
その結果、所定の環境に維持する管理コストが高めの気密室２０ａ，２０ｂ（空間）の利用率を大いに高められるという効果が得られる。なお、この発明に係るパスボックス２１の開閉装置２２については、電気二重層キャパシタの製造設備としてのクローブボックスに限らず、あらゆる気密室の間を継ぐパスボックスに広く適用可能である。
【図面の簡単な説明】
【図１】この発明に係る電気二重層キャパシタの製造設備を表す一部の側面図である。
【図２】同じく図１のＡ−Ａ断面図である。
【図３】同じく開閉装置の側面を表す構成図である。
【図４】同じく図３のＢ矢視図である。
【図５】別の開閉装置を表す側面図である。
【符号の説明】
２０ａ，２０ｂ  気密室
２１  パスボックス
２２  開閉装置
２３  開閉プレート
２４  クランプ
２４ａ  クランプのベース
２４ｂ  クランプの爪
２６  雄ネジ部
２７  円筒軸
２８  雌ネジ部
２９  軸受
３０  ハンドル
３１  シール
３２  ストッパ
【図１】
0003921123.tif 000002
【図２】
0003921123.tif 000003
【図３】
0003921123.tif 000004
【図４】
0003921123.tif 000005
【図５】
0003921123.tif 000006